(57)【要約】  本開示のさまざまな態様は、一般的に、ワイヤレス通信に関する。いくつかの態様では、基地局は、ユーザ機器（ＵＥ）に対する更新されたシステム情報を決定し、ＵＥは初期アクセス帯域幅（ＢＷＰ）と構成されたＢＷＰとに関係し、ユニキャストシグナリング、マルチキャストシグナリング、構成されたＢＷＰ、および／または、構成されたＢＷＰとは異なる特定のＢＷＰのうちの少なくとも１つを使用して、更新されたシステム情報を送信してもよい。他の多くの態様が提供される。【選択図】図４
2021505051.tif 000002
【特許請求の範囲】
【請求項１】
基地局により実行されるワイヤレス通信の方法において、
ユーザ機器（ＵＥ）に対する更新されたシステム情報を決定し、前記ＵＥは初期アクセス帯域幅部分（ＢＷＰ）と構成されたＢＷＰとに関係することと、
ユニキャストシグナリング、マルチキャストシグナリング、前記構成されたＢＷＰ、および／または、前記構成されたＢＷＰとは異なる特定のＢＷＰのうちの少なくとも１つを使用して、更新されたシステム情報を前記ＵＥに送信することとを含む方法。
【請求項２】
前記ユニキャストシグナリングは、ダウンリンク制御情報、媒体アクセス制御（ＭＡＣ）制御要素（ＣＥ）、または、無線リソース制御（ＲＲＣ）シグナリングのうちの少なくとも１つを使用する請求項１記載の方法。
【請求項３】
前記マルチキャストシグナリングは、ダウンリンク制御情報、媒体アクセス制御（ＭＡＣ）制御要素（ＣＥ）、または、無線リソース制御（ＲＲＣ）シグナリングのうちの少なくとも１つを使用する請求項１記載の方法。
【請求項４】
前記マルチキャストシグナリングは、特定のグループ無線ネットワーク一時識別子（ＲＮＴＩ）に関係するグループダウンリンク制御情報を使用する請求項１記載の方法。
【請求項５】
前記特定のＢＷＰに切り替えるまたは前記特定のＢＷＰを監視するように前記ＵＥを構成するためのメッセージを送信することをさらに含み、
前記特定のＢＷＰは、前記更新されたシステム情報を伝える請求項１記載の方法。
【請求項６】
前記メッセージは、特定の長さの時間に対して、前記特定のＢＷＰに切り替えるまたは前記特定のＢＷＰを監視するように前記ＵＥを構成するのに使用され、前記メッセージは、前記特定の長さの時間の後に、前記構成されたＢＷＰに切り替えて戻るように、前記ＵＥを構成するのに使用される請求項５記載の方法。
【請求項７】
前記メッセージは、ページングメッセージである請求項５記載の方法。
【請求項８】
前記特定のＢＷＰは、前記初期アクセスＢＷＰである請求項１記載の方法。
【請求項９】
前記更新されたシステム情報は、前記初期アクセスＢＷＰ中で送信されるシステム情報と同じ周期を使用して、前記構成されたＢＷＰ中で繰り返される請求項１記載の方法。
【請求項１０】
前記更新されたシステム情報は、特定の時間ウィンドウにおいて、前記構成されたＢＷＰ中で繰り返される請求項１記載の方法。
【請求項１１】
ワイヤレス通信のための基地局において、
メモリと、
前記メモリに動作可能に結合されている１つ以上のプロセッサとを具備し、
前記メモリおよび前記１つ以上のプロセッサは、
ユーザ機器（ＵＥ）に対する更新されたシステム情報を決定し、前記ＵＥは初期アクセス帯域幅部分（ＢＷＰ）と構成されたＢＷＰとに関係し、
ユニキャストシグナリング、マルチキャストシグナリング、前記構成されたＢＷＰ、および／または、前記構成されたＢＷＰとは異なる特定のＢＷＰのうちの少なくとも１つを使用して、前記更新されたシステム情報を前記ＵＥに送信するように構成されている基地局。
【請求項１２】
前記ユニキャストシグナリングは、ダウンリンク制御情報、媒体アクセス制御（ＭＡＣ）制御要素（ＣＥ）、または、無線リソース制御（ＲＲＣ）シグナリングのうちの少なくとも１つを使用する請求項１１記載の基地局。
【請求項１３】
前記マルチキャストシグナリングは、ダウンリンク制御情報、媒体アクセス制御（ＭＡＣ）制御要素（ＣＥ）、または、無線リソース制御（ＲＲＣ）シグナリングのうちの少なくとも１つを使用する請求項１１記載の基地局。
【請求項１４】
前記マルチキャストシグナリングは、特定のグループ無線ネットワーク一時識別子（ＲＮＴＩ）に関係するグループダウンリンク制御情報を使用する請求項１１記載の基地局。
【請求項１５】
前記メモリおよび前記１つ以上のプロセッサは、
前記特定のＢＷＰに切り替えるまたは前記特定のＢＷＰを監視するように前記ＵＥを構成するためのメッセージを送信するように構成され、
前記特定のＢＷＰは、前記更新されたシステム情報を伝える請求項１１記載の基地局。
【請求項１６】
前記メッセージは、特定の長さの時間に対して、前記特定のＢＷＰに切り替えるまたは前記特定のＢＷＰを監視するように前記ＵＥを構成するのに使用され、前記メッセージは、前記特定の長さの時間の後に、前記構成されたＢＷＰに切り替えて戻るように、前記ＵＥを構成するのに使用される請求項１５記載の基地局。
【請求項１７】
前記メッセージは、ページングメッセージである請求項１５記載の基地局。
【請求項１８】
前記特定のＢＷＰは、前記初期アクセスＢＷＰである請求項１１記載の基地局。
【請求項１９】
前記更新されたシステム情報は、前記初期アクセスＢＷＰ中で送信されるシステム情報と同じ周期を使用して、前記構成されたＢＷＰ中で繰り返される請求項１１記載の基地局。
【請求項２０】
前記更新されたシステム情報は、特定の時間ウィンドウにおいて、前記構成されたＢＷＰ中で繰り返される請求項１１記載の基地局。
【請求項２１】
ユーザ機器（ＵＥ）により実行されるワイヤレス通信の方法において、
前記ＵＥに対する更新されたシステム情報を受信することと、
前記更新されたシステム情報を処理することとを含み、
前記ＵＥは初期アクセス帯域幅部分（ＢＷＰ）と構成されたＢＷＰとに関係し、
ユニキャストシグナリング、マルチキャストシグナリング、前記構成されたＢＷＰ、および／または、前記構成されたＢＷＰとは異なる特定のＢＷＰのうちの少なくとも１つを使用して、前記更新されたシステム情報を受信する方法。
【請求項２２】
前記ユニキャストシグナリングは、ダウンリンク制御情報、媒体アクセス制御（ＭＡＣ）制御要素（ＣＥ）、または、無線リソース制御（ＲＲＣ）シグナリングのうちの少なくとも１つを含む請求項２１記載の方法。
【請求項２３】
受信したメッセージに少なくとも部分的に基づいて、前記特定のＢＷＰに切り替えるまたは前記特定のＢＷＰを監視することをさらに含み、
前記特定のＢＷＰは、前記更新されたシステム情報を伝える請求項２１記載の方法。
【請求項２４】
前記特定のＢＷＰは、前記初期アクセスＢＷＰである請求項２１記載の方法。
【請求項２５】
ワイヤレス通信のためのユーザ機器（ＵＥ）において、
メモリと、
前記メモリに動作可能に結合されている１つ以上のプロセッサとを具備し、
前記メモリおよび前記１つ以上のプロセッサは、
前記ＵＥに対する更新されたシステム情報を受信し、
前記更新されたシステム情報を処理するように構成され、
前記ＵＥは初期アクセス帯域幅部分（ＢＷＰ）と構成されたＢＷＰとに関係し、
ユニキャストシグナリング、マルチキャストシグナリング、前記構成されたＢＷＰ、および／または、前記構成されたＢＷＰとは異なる特定のＢＷＰのうちの少なくとも１つを使用して、前記更新されたシステム情報を受信するＵＥ。
【請求項２６】
前記ユニキャストシグナリングは、ダウンリンク制御情報、媒体アクセス制御（ＭＡＣ）制御要素（ＣＥ）、または、無線リソース制御（ＲＲＣ）シグナリングのうちの少なくとも１つを含む請求項２５記載のＵＥ。
【請求項２７】
前記メモリおよび前記１つ以上のプロセッサは、
受信したメッセージに少なくとも部分的に基づいて、前記特定のＢＷＰに切り替えるまたは前記特定のＢＷＰを監視するように構成され、
前記特定のＢＷＰは、前記更新されたシステム情報を伝える請求項２５記載のＵＥ。
【請求項２８】
前記特定のＢＷＰは、前記初期アクセスＢＷＰである請求項２５記載のＵＥ。
【発明の詳細な説明】
【米国特許法第１１９条下での関連出願に対する相互参照】
【０００１】
［０００１］
本出願は、２０１７年１１月２８日に出願され、「帯域幅部分を使用してシステム中のシステム情報更新を提供するための技法および装置」と題する米国仮特許出願第６２／５９１，４７５号と、２０１８年１０月１５日出願され、「帯域幅部分を使用してシステム中のシステム情報更新を提供するための技法および装置」と題する米国特許出願第１６／１６０，５８１号とに対して優先権を主張し、これらは参照により明示的にここに組み込まれている。
【開示の分野】
【０００２】
［０００２］
本開示の態様は、一般にワイヤレス通信に関し、より詳細には、帯域幅部分を使用してシステム中のシステム情報更新を提供するための技法および装置に関する。
【背景】
【０００３】
［０００３］
ワイヤレス通信システムは、電話、ビデオ、データ、メッセージング、およびブロードキャストのような、さまざまな電気通信サービスを提供するために広く配備されている。典型的なワイヤレス通信システムは、利用可能なシステムリソース（例えば、帯域幅、送信電力、および／または、これらに類するもの）を共有することにより、複数のユーザとの通信をサポートすることが可能な多元接続技術を用いるかもしれない。このような多元接続技術の例は、コード分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、単一搬送波周波数分割多元接続（ＳＣ−ＦＤＭＡ）システム、時分割同期コード分割多元接続（ＴＤ−ＳＣＤＭＡ）システム、および、ロングタームエボリューション（ＬＴＥ）（登録商標）を含んでいる。ＬＴＥ／ＬＴＥアドバンストは、第３世代パートナーシッププロジェクト（３ＧＰＰ（登録商標））により公表されているユニバーサル移動体電気通信システム（ＵＭＴＳ）移動体標準規格の拡張のセットである。
【０００４】
［０００４］
ワイヤレス通信ネットワークは、多数のユーザ機器（ＵＥ）のための通信をサポートすることができる多数の基地局（ＢＳ）を含んでいるかもしれない。ユーザ機器（ＵＥ）は、ダウンリンクおよびアップリンクを介して、基地局（ＢＳ）と通信してもよい。ダウンリンク（または、順方向リンク）は、ＢＳからＵＥへの通信リンクを指し、アップリンク（または、逆方向リンク）は、ＵＥからＢＳへの通信リンクを指す。ここでより詳細に説明するように、ＢＳは、ノードＢ、ｇＮＢ、アクセスポイント（ＡＰ）、無線ヘッド、送受信ポイント（ＴＲＰ）、新しい無線（ＮＲ）ＢＳ、５ＧノードＢ、および／または、これらに類するものとして呼ばれることがある。
【０００５】
［０００５］
上記の多元接続技術は、異なるユーザ機器が都市、国家、地域、さらには地球規模で通信することを可能にする共通のプロトコルを提供するために、さまざまな電気通信標準規格において用いられてきた。５Ｇとしても呼ばれることもある新しい無線（ＮＲ）は、第３世代パートナーシッププロジェクト（３ＧＰＰ）により公表されたＬＴＥ移動体標準規格に対する拡張のセットである。ＮＲは、アップリンク（ＵＬ）上では（例えば、離散フーリエ変換拡散ＯＦＤＭ（ＤＦＴ−ｓ−ＯＦＤＭ）としても知られている）ＣＰ−ＯＦＤＭおよび／またはＳＣ−ＦＤＭを使用し、アップリンク（ＤＬ）上ではサイクリックプレフィックス（ＣＰ）（ＣＰ−ＯＦＤＭ）を用いる、直交周波数分割多重化（ＯＦＤＭ）を使用して、スペクトル効率を向上させ、コストを低減し、サービスを改善し、新しいスペクトルを使用し、他のオープン標準規格とのより良好な統合を行うことにより、移動体ブロードバンドインターネットアクセスをより良好にサポートするとともに、ビーム形成、多入力多出力（ＭＩＭＯ）アンテナ技術、および、キャリアアグリゲーションをサポートするように設計されている。しかしながら、移動体ブロードバンドアクセスの需要が増加し続けるにつれて、ＬＴＥ技術およびＮＲ技術のさらなる改善の必要性が存在する。好ましくは、これらの改善は、他の多元接続技術およびこれらの技術を用いる電気通信標準規格に適用可能であるべきである。
【概要】
【０００６】
［０００６］
いくつかの態様では、基地局により実行されるワイヤレス通信の方法は、ユーザ機器（ＵＥ）に対する更新されたシステム情報を決定し、ＵＥは初期アクセス帯域幅部分（ＢＷＰ）と構成されたＢＷＰとに関係することと、ユニキャストシグナリング、マルチキャストシグナリング、構成されたＢＷＰ、および／または、構成されたＢＷＰとは異なる特定のＢＷＰのうちの少なくとも１つを使用して、更新されたシステム情報をＵＥに送信することとを含んでいてもよい。
【０００７】
［０００７］
いくつかの態様では、ワイヤレス通信のための基地局は、メモリと、メモリに動作可能に結合されている１つ以上のプロセッサとを具備していてもよい。メモリおよび１つ以上のプロセッサは、ＵＥに対する更新されたシステム情報を決定し、ＵＥは初期アクセスＢＷＰと構成されたＢＷＰとに関係し、ユニキャストシグナリング、マルチキャストシグナリング、構成されたＢＷＰ、および／または、構成されたＢＷＰとは異なる特定のＢＷＰのうちの少なくとも１つを使用して、更新されたシステム情報をＵＥに送信するように構成されていてもよい。
【０００８】
［０００８］
いくつかの態様では、非一時的コンピュータ読取可能媒体は、ワイヤレス通信のための１つ以上の命令を記憶していてもよい。１つ以上の命令は、基地局の１つ以上のプロセッサにより実行されるときに、１つ以上のプロセッサに、ＵＥに対する更新されたシステム情報を決定させ、ＵＥは初期アクセスＢＷＰと構成されたＢＷＰとに関係し、ユニキャストシグナリング、マルチキャストシグナリング、構成されたＢＷＰ、および／または、構成されたＢＷＰとは異なる特定のＢＷＰのうちの少なくとも１つを使用させて、更新されたシステム情報をＵＥに送信させてもよい。
【０００９】
［０００９］
いくつかの態様では、ワイヤレス通信のための装置は、ＵＥに対する更新されたシステム情報を決定し、ＵＥは初期アクセスＢＷＰと構成されたＢＷＰとに関係する手段と、ユニキャストシグナリング、マルチキャストシグナリング、構成されたＢＷＰ、および／または、構成されたＢＷＰとは異なる特定のＢＷＰのうちの少なくとも１つを使用して、更新されたシステム情報をＵＥに送信する手段とを含んでいてもよい。
【００１０】
［００１０］
いくつかの態様では、ＵＥにより実行されるワイヤレス通信の方法は、ＵＥに対する更新されたシステム情報を受信することと、更新されたシステム情報を処理することとを含んでいてもよく、ＵＥは初期アクセスＢＷＰと構成されたＢＷＰとに関係し、ユニキャストシグナリング、マルチキャストシグナリング、構成されたＢＷＰ、および／または、構成されたＢＷＰとは異なる特定のＢＷＰのうちの少なくとも１つを使用して、更新されたシステム情報を受信する。
【００１１】
［００１１］
いくつかの態様では、ワイヤレス通信のためのＵＥは、メモリと、メモリに動作可能に結合されている１つ以上のプロセッサとを具備していてもよい。メモリおよび１つ以上のプロセッサは、ＵＥに対する更新されたシステム情報を受信し、更新されたシステム情報を処理するように構成されていてもよく、ＵＥは初期アクセスＢＷＰと構成されたＢＷＰとに関係し、ユニキャストシグナリング、マルチキャストシグナリング、構成されたＢＷＰ、および／または、構成されたＢＷＰとは異なる特定のＢＷＰのうちの少なくとも１つを使用して、更新されたシステム情報を受信する。
【００１２】
［００１２］
いくつかの態様では、非一時的コンピュータ読取可能媒体は、ワイヤレス通信のための１つ以上の命令を記憶していてもよい。１つ以上の命令は、ＵＥの１つ以上のプロセッサにより実行されるときに、１つ以上のプロセッサに、ＵＥに対する更新されたシステム情報を受信させ、更新されたシステム情報を処理させてもよく、ＵＥは初期アクセスＢＷＰと構成されたＢＷＰとに関係し、ユニキャストシグナリング、マルチキャストシグナリング、構成されたＢＷＰ、および／または、構成されたＢＷＰとは異なる特定のＢＷＰのうちの少なくとも１つを使用して、更新されたシステム情報を受信する。
【００１３】
［００１３］
いくつかの態様では、ワイヤレス通信のための装置は、装置に対する更新されたシステム情報を受信する手段と、更新されたシステム情報を処理する手段とを含んでいてもよく、装置は初期アクセスＢＷＰと構成されたＢＷＰとに関係し、ユニキャストシグナリング、マルチキャストシグナリング、構成されたＢＷＰ、および／または、構成されたＢＷＰとは異なる特定のＢＷＰのうちの少なくとも１つを使用して、更新されたシステム情報を受信する。
【００１４】
［００１４］
態様は、一般的に、実質的に、添付図面および明細書を参照してここで説明され、添付図面により図示されている、方法、装置、システム、コンピュータプログラム製品、非一時的コンピュータ読取可能媒体、ユーザ機器、基地局、ワイヤレス通信デバイス、および、処理システムを含んでいる。
【００１５】
［００１５］
先のものは、続く詳細な説明をよりよく理解できるようにするために、開示にしたがって、例の特徴および技術的な利点をむしろ広く概説している。追加の特徴および利点を以下で説明する。開示された概念および特定の例は、本開示の同じ目的を実行するための他の構造を修正または設計するための基礎として容易に利用してもよい。このような均等な構造は、添付の特許請求の範囲から逸脱しない。ここで開示される概念の特徴、それらの編成および動作の方法の両方は、関係する利点とともに、添付の図面に関連して考慮されるとき、以下の説明からよりよく理解されるであろう。図面のそれぞれは、例示および説明のために提供され、特許請求の範囲の限定の定義として提供されているものではない。
【００１６】
［００１６］
本開示の上記で説明した特徴が詳細に理解されるように、上記で簡単に要約したもののより具体的な説明が、態様を参照することにより、なされており、態様のうちのいくつかが添付の図面に示されている。しかしながら、添付の図面は、本開示のある典型的な態様のみを示し、したがって、その範囲を限定するものとみなされるべきではないことに留意されたい。説明は他の等しく有効な態様を認めている。異なる図面の同じ参照番号は同じまたは類似する要素を識別している。
【図面の簡単な説明】
【００１７】
【図１】［００１７］  図１は、本開示のさまざまな態様にしたがう、ワイヤレス通信ネットワークの例を概念的に示すブロック図である。
【図２】［００１８］  図２は、本開示のさまざまな態様にしたがう、ワイヤレス通信ネットワークにおいて、ユーザ機器（ＵＥ）と通信する基地局の例を概念的に示すブロック図である。
【図３】［００１９］  図３は、本開示のさまざまな態様にしたがう、初期アクセス帯域幅部分と構成された帯域幅部分との例を示す図である。
【図４】［００２０］  図４は、本開示のさまざまな態様にしたがう、複数の帯域幅部分を有するシステムにおいて、更新されたシステム情報を提供することの例を示す図である。
【図５】［００２１］  図５は、本開示のさまざまな態様にしたがう、例えば、基地局により実行される例示的なプロセスを示す図である。
【図６】［００２２］  図６は、本開示のさまざまな態様にしたがう、例えば、ＵＥにより実行される例示的なプロセスを示す図である。
【詳細な説明】
【００１８】
［００２３］
本開示のさまざまな態様を、添付の図面を参照して以下でより完全に説明する。しかしながら、本開示は、多くの異なる形態で具現化してもよく、本開示を通して提示される任意の特定の構造または機能に限定されるものと解釈すべきではない。むしろ、これらの態様は、本開示が徹底的かつ完全になり、本開示の範囲を当業者に完全に伝えるように、提供されている。本明細書の教示に基づいて、本開示の範囲は、独立して実現されるか、または、本開示の他の態様と組み合わされるにせよ、ここで開示される本開示の任意の態様をカバーすることが意図されていることを、当業者は諒解されたい。例えば、ここに記載の任意の数の態様を使用して、装置を実現してもよく、または、方法を実施してもよい。加えて、この開示の範囲は、ここで説明する開示のさまざまな態様に加えて、あるいは、これ以外の、他の構造、機能性、または、構造および機能性を使用して実施される、このような装置または方法をカバーすることを意図している。ここで開示されている本開示の任意の態様が、請求項の１つ以上の要素により具現化されていてもよいことを理解されたい。
【００１９】
［００２４］
さまざまな装置および技法を参照して、電気通信システムのいくつかの態様を提示する。これらの装置および技法は、以下の詳細な説明において説明され、さまざまなブロック、モジュール、コンポーネント、回路、ステップ、プロセス、アルゴリズム、および／または、これらに類するもの（「要素」と総称される）により、添付の図面に例示されている。これらの要素は、ハードウェア、ソフトウェア、または、これらの組み合わせを使用して実現してもよい。このような要素がハードウェアとして実現されるか、ソフトウェアとして実現されるかは、特定のアプリケーションおよびシステム全体に課される設計制約に依存する。
【００２０】
［００２５］
３Ｇおよび／または４Ｇワイヤレス技術に共通で一般的に関係する専門用語を使用して、態様をここで説明するかもしれないが、本開示の態様は、ＮＲ技術を含む、５Ｇおよびそれ以降のもののような、他の世代ベースの通信システムにおいて適用することができることに留意されたい。
【００２１】
［００２６］
図１は、本開示の態様を実施してもよいネットワーク１００を示す図である。ネットワーク１００は、ＬＴＥネットワーク、あるいは、５ＧまたはＮＲネットワークのような他の何らかの無線ネットワークであってもよい。ワイヤレスネットワーク１００は、（ＢＳ１１０ａ、ＢＳ１１０ｂ、ＢＳ１１０ｃ、および、ＢＳ１１０ｄとして示される）多数のＢＳ１１０と、他のネットワークエンティティとを含んでいてもよい。ＢＳは、ユーザ機器（ＵＥ）と通信するエンティティであり、基地局、ＮＲ  ＢＳ、ノードＢ、ｇＮＢ、５ＧノードＢ（ＮＢ）、アクセスポイント、送受信ポイント（ＴＲＰ）、および／または、これらに類するものとして呼ばれることもある。各ＢＳは、特定の地理的エリアのための通信カバレージを提供してもよい。３ＧＰＰでは、「セル」という用語は、その用語が使用されるコンテキストに依存して、ＢＳのカバレージエリアおよび／またはこのカバレージエリアにサービスするＢＳサブシステムを指すことがある。
【００２２】
［００２７］
ＢＳは、マクロセル、ピコセル、フェムトセル、および／または、別のタイプのセルのための通信カバレージを提供してもよい。マクロセルは、比較的大きい地理的エリア（例えば、半径数キロメートル）をカバーしていてもよく、サービス加入を有するＵＥによる無制限アクセスを可能にしていてもよい。ピコセルは、比較的小さい地理的エリアをカバーしていてもよく、サービス加入を有するＵＥによる無制限アクセスを可能にしていてもよい。フェムトセルは、比較的小さい地理的エリア（例えば、自宅）をカバーしていてもよく、フェムトセルと関係を有するＵＥ（例えば、クローズド加入者グループ（ＣＳＧ）中のＵＥ）による制限付きアクセスを可能にしていてもよい。マクロセルのためのＢＳは、マクロＢＳとして呼ばれることもある。ピコセルのためのＢＳは、ピコＢＳとして呼ばれることもある。フェムトセルのためのＢＳは、フェムトＢＳまたはホームＢＳとして呼ばれることもある。図１に示されている例では、ＢＳ１１０ａはマクロセル１０２ａのためのマクロＢＳであり、ＢＳ１１０ｂはピコセル１０２ｂのためのピコＢＳであり、ＢＳ１１０ｃはフェムトセル１０２ｃのためのフェムトＢＳである。ＢＳは、１つ以上の（例えば、３つの）セルをサポートしていてもよい。「ｅＮＢ」、「基地局」、「ＮＲ  ＢＳ」、「ｇＮＢ」、「ＴＲＰ」、「ＡＰ」、「ノードＢ」、「５Ｇ  ＮＢ」、および、「セル」という用語は、ここでは互換的に使用しているかもしれない。
【００２３】
［００２８］
いくつかの態様では、セルは、必ずしも静止していないことがあり、セルの地理的エリアは、移動体ＢＳの位置にしたがって移動してもよい。いくつかの態様では、ＢＳは、任意の適切なトランスポートネットワークを使用する、直接物理接続、仮想ネットワーク、および／または、これらに類するもののような、さまざまなタイプのバックホールインターフェースを通して、アクセスネットワーク１００中で、互いに、ならびに／あるいは、１つ以上の他のＢＳまたはネットワークノード（図示せず）と、相互接続されていてもよい。
【００２４】
［００２９］
ワイヤレスネットワーク１００はまた、中継局を含んでいてもよい。中継局は、アップストリーム局（例えば、ＢＳまたはＵＥ）からのデータの送信を受信し、データの送信をダウンストリーム局（例えば、ＵＥまたはＢＳ）に送信することができるエンティティである。中継局はまた、他のＵＥのために送信を中継することができるＵＥであってもよい。図１に示す例では、中継局１１０ｄは、ＢＳ１１０ａとＵＥ１２０ｄとの間の通信を容易にするために、マクロＢＳ１１０ａおよびＵＥ１２０ｄと通信していてもよい。中継局は、中継ＢＳ、中継基地局、中継器、および／または、これらに類するものとして呼ばれることもある。
【００２５】
［００３０］
ワイヤレスネットワーク１００は、異なるタイプのＢＳ、例えば、マクロＢＳ、ピコＢＳ、フェムトＢＳ、中継ＢＳ、および／または、これらに類するものを含む異種ネットワークであってもよい。これらの異なるタイプのＢＳは、ワイヤレスネットワーク１００中で、異なる送信電力レベル、異なるカバレージエリア、および、干渉における異なる影響を有するかもしれない。例えば、マクロＢＳは、高い送信電力レベル（例えば、５〜４０ワット）を有していてもよいが、ピコＢＳ、フェムトＢＳ、および、中継ＢＳは、より低い送信電力レベル（例えば、０．１〜２ワット）を有しているかもしれない。
【００２６】
［００３１］
ネットワーク制御装置１３０は、ＢＳのセットに結合していてもよく、これらのＢＳに対する協同および制御を提供してもよい。ネットワーク制御装置１３０は、バックホールを介して、ＢＳと通信していてもよい。ＢＳはまた、例えば、直接的または間接的に、ワイヤレスバックホールまたはワイヤラインバックホールを介して、互いに通信していてもよい。
【００２７】
［００３２］
ＵＥ１２０（例えば、１２０ａ、１２０ｂ、１２０ｃ）は、ワイヤレスネットワーク１００全体に渡って分散されていてもよく、各ＵＥは、静止していてもまたは移動体であってもよい。ＵＥは、アクセス端末、端末、移動局、加入者ユニット、局、および／または、これらに類するものとして呼ばれることもある。ＵＥは、セルラーフォン（例えば、スマートフォン）、パーソナルデジタルアシスタント（ＰＤＡ）、ワイヤレスモデム、ワイヤレス通信デバイス、ハンドヘルドデバイス、ラップトップコンピュータ、コードレス電話機、ワイヤレスローカルループ（ＷＬＬ）局、タブレット、カメラ、ゲームデバイス、ネットブック、スマートブック、ウルトラブック、医療デバイスまたは機器、バイオメトリックセンサ／デバイス、ウェアラブルデバイス（スマートウォッチ、スマート衣類、スマートグラス、スマートリストバンド、スマートジュエリー（例えば、スマートリング、スマートブレスレット））、娯楽デバイス（例えば、音楽またはビデオデバイス、または、衛星無線機）、車両コンポーネントまたはセンサ、スマートメータ／センサ、工業製造機器、グローバルポジショニングシステムデバイス、あるいは、ワイヤレス媒体または有線媒体を介して通信するように構成されている他の任意の適切なデバイスであってもよい。
【００２８】
［００３３］
いくつかのＵＥは、マシンタイプ通信（ＭＴＣ）あるいは発展型または拡張型マシンタイプ通信（ｅＭＴＣ）ＵＥと考えてもよい。ＭＴＣおよびｅＭＴＣ  ＵＥは、例えば、基地局、別のデバイス（例えば、遠隔デバイス）、または、他の何らかのエンティティと通信するかもしれない、ロボットと、ドローンと、センサ、メータ、モニタ、位置タグ、および／または、これらに類するもののような遠隔デバイスとを含んでいる。ワイヤレスノードは、有線またはワイヤレス通信リンクを介して、例えば、ネットワーク（例えば、インターネットまたはセルラーネットワークのような広域ネットワーク）のための、または、ネットワークへの接続性を提供してもよい。いくつかのＵＥは、モノのインターネット（ＩｏＴ）デバイスと考えてもよく、および／または、ＮＢ−ＩｏＴ（狭帯域のモノのインターネット）デバイスとして実現してもよい。いくつかのＵＥは、顧客宅内機器（ＣＰＥ）と考えてもよい。ＵＥ１２０は、プロセッサコンポーネント、メモリコンポーネント、および／または、これらに類するもののような、ＵＥ１２０のコンポーネントを収容するハウジング内部に含まれていてもよい。
【００２９】
［００３４］
一般に、任意の数のワイヤレスネットワークが、所定の地理的エリアに配備されていてもよい。各ワイヤレスネットワークは、特定のＲＡＴをサポートしていてもよく、１つ以上の周波数上で動作していてもよい。ＲＡＴは、無線技術、エアインターフェース、および／または、これらに類するものとして呼ばれることもある。周波数は、搬送波、周波数チャネル、および／または、これらに類するものとして呼ばれることもある。各周波数は、異なるＲＡＴのワイヤレスネットワーク間の干渉を回避するために、所定の地理的エリアにおいて単一のＲＡＴをサポートしていてもよい。いくつかのケースでは、ＮＲまたは５Ｇ  ＲＡＴネットワークが配備されていてもよい。
【００３０】
［００３５］
いくつかの態様では、（例えば、ＵＥ１２０ａおよびＵＥ１２０ｅとして示される）２つ以上のＵＥ１２０は、１つ以上のサイドリンクチャネルを使用して、（例えば、互いに通信するために中間としてＢＳ１１０を使用することなく）直接的に通信してもよい。例えば、ＵＥ１２０は、ピアツーピア（Ｐ２Ｐ）通信、デバイスツーデバイス（Ｄ２Ｄ）通信、（例えば、車両−車両（Ｖ２Ｖ）プロトコル、車両−インフラストラクチャ（Ｖ２Ｉ）プロトコル、および／または、これらに類するものを含んでいるかもしれない）車両ツーエブリスング（Ｖ２Ｘ）プロトコル、メッシュネットワーク、および／または、これらに類するものを使用して通信してもよい。このケースでは、ＵＥ１２０は、スケジューリング動作、リソース選択動作、および／または、ＢＳ１１０により実行されるものとして、本明細書の他の場所で説明されている他の動作を実行してもよい。
【００３１】
［００３６］
上述のように、図１は、単なる例として提供されている。他の例も可能であり、他の例は、図１に関して説明したものと異なっていてもよい。
【００３２】
［００３７］
図２は、図１の基地局のうちの１つおよびＵＥのうちの１つであってもよい、ＢＳ１１０およびＵＥ１２０の設計のブロック図を示す。ＢＳ１１０は、Ｔ本のアンテナ２３４ａ〜２３４ｔを装備していてもよく、ＵＥ１２０は、Ｒ本のアンテナ２５２ａ〜２５２ｒを装備していてもよく、ここで、一般に、Ｔ≧１であり、Ｒ≧１である。
【００３３】
［００３８］
ＢＳ１１０において、送信プロセッサ２２０は、１つ以上のＵＥのために、データソース２１２からデータを受け取り、ＵＥから受け取ったチャネル品質インジケータ（ＣＱＩ）に少なくとも部分的に基づいて、各ＵＥのための１つ以上の変調およびコーディング方式（ＭＣＳ）を選択し、ＵＥのために選択したＭＣＳに少なくとも部分的に基づいて、各ＵＥのためのデータを処理（例えば、エンコードおよび変調）し、すべてのＵＥのためのデータシンボルを提供してもよい。送信プロセッサ２２０はまた、（例えば、半静的リソース区分情報（ＳＲＰＩ）、および／または、これらに類するもののための）システム情報および制御情報（例えば、ＣＱＩ要求、許可、上位レイヤシグナリング、および／または、これらに類するもの）を処理し、オーバーヘッドシンボルおよび制御シンボルを提供してもよい。送信プロセッサ２２０はまた、基準信号（例えば、セル特有基準信号（ＣＲＳ））のための基準シンボルおよび同期信号（例えば、１次同期信号（ＰＳＳ）および２次同期信号（ＳＳＳ））を発生させてもよい。送信（ＴＸ）多入力多出力（ＭＩＭＯ）プロセッサ２３０は、適用可能な場合、データシンボル、制御シンボル、オーバーヘッドシンボル、および／または、基準シンボルにおいて、空間処理（例えば、プリコーディング）を実行してもよく、Ｔ個の出力シンボルストリームをＴ個の変調器（ＭＯＤ）２３２ａ〜２３２ｔに提供してもよい。各変調器２３２は、（例えば、ＯＦＤＭ、および／または、これらに類するもののために）それぞれの出力シンボルストリームを処理して、出力サンプルストリームを取得してもよい。各変調器２３２は、出力サンプルストリームをさらに処理（例えば、アナログへの変換、増幅、フィルタ処理、および、アップコンバート）して、ダウンリンク信号を取得してもよい。アンテナ２３４ａ〜２３４ｔを通して、変調器２３２ａ〜２３２ｔからのダウンリンク信号をそれぞれ送信してもよい。以下でより詳細に説明するさまざまな態様にしたがうと、追加の情報を伝えるために、位置エンコーディングにより同期信号を発生させてもよい。
【００３４】
［００３９］
ＵＥ１２０において、アンテナ２５２ａ〜２５２ｒは、ＢＳ１１０および／または他の基地局からダウンリンク信号を受信して、受信した信号を復調器（ＤＥＭＯＤ）２５４ａ〜２５４ｒにそれぞれ提供してもよい。各復調器２５４は、受信した信号を調整（例えば、フィルタ処理、増幅、ダウンコンバート、およびデジタル化）して、入力サンプルを取得してもよい。各復調器２５４は、（例えば、ＯＦＤＭ、および／または、これらに類するもののために）入力サンプルをさらに処理して、受信したシンボルを取得してもよい。ＭＩＭＯ検出器２５６は、Ｒ個すべての復調器２５４ａ〜２５４ｒから受信したシンボルを取得し、適用可能な場合、受信したシンボルに対してＭＩＭＯ検出を実行し、検出したシンボルを提供してもよい。受信プロセッサ２５８は、検出したシンボルを処理（例えば、復調およびデコード）し、ＵＥ１２０のためにデコードしたデータをデータシンク２６０に提供し、デコードした制御情報およびシステム情報を制御装置／プロセッサ２８０に提供してもよい。チャネルプロセッサは、基準信号受信電力（ＲＳＲＰ）、受信信号強度インジケータ（ＲＳＳＩ）、基準信号受信品質（ＲＳＲＱ）、チャネル品質インジケータ（ＣＱＩ）、および／または、これらに類するものを決定してもよい。
【００３５】
［００４０］
アップリンク上で、ＵＥ１２０において、送信プロセッサ２６４は、データソース２６２からデータを受け取って処理し、制御装置／プロセッサ２８０から（例えば、ＲＳＲＰ、ＲＳＳＩ、ＲＳＲＱ、ＣＱＩ、および／または、これらに類するものを含む報告のために）制御情報を受け取って処理してもよい。送信プロセッサ２６４はまた、１つ以上の基準信号に対する基準シンボルを発生させてもよい。送信プロセッサ２６４からのシンボルは、適用可能な場合、ＴＸ  ＭＩＭＯプロセッサ２６６によりプリコーディングされ、（例えば、ＤＦＴ−ｓ−ＯＦＤＭ、ＣＰ−ＯＦＤＭ、および／または、これらに類するもののために）変調器２５４ａ〜２５４ｒによりさらに処理され、ＢＳ１１０に送信されてもよい。ＢＳ１１０において、ＵＥ１２０および他のＵＥからのアップリンク信号は、アンテナ２３４により受信され、復調器２３２により処理され、適用可能な場合、ＭＩＭＯ検出器２３６により検出され、さらに受信プロセッサ２３８により処理されて、ＵＥ１２０により送信されデコードされたデータおよび制御情報が取得されてもよい。受信プロセッサ２３８は、デコードされたデータをデータシンク２３９に、そして、デコードされた制御情報を制御装置／プロセッサ２４０に提供してもよい。ＢＳ１１０は、通信ユニット２４４を含んでいてもよく、通信ユニット２４４を介して、ネットワーク制御装置１３０に通信してもよい。ネットワーク制御装置１３０は、通信ユニット２９４、制御装置／プロセッサ２９０、および、メモリ２９２を含んでいてもよい。
【００３６】
［００４１］
いくつかの態様では、ＵＥ１２０の１つ以上のコンポーネントが、ハウジング中に含まれていてもよい。ＢＳ１１０の制御装置／プロセッサ２４０、ＵＥ１２０の制御装置／プロセッサ２８０、および／または、図２の他の任意のコンポーネントは、本明細書の他の場所でより詳細に説明するように、複数の帯域幅部分を有するシステム中で更新されたシステム情報を送信することに関係する１つ以上の技法を実行してもよい。例えば、ＢＳ１１０の制御装置／プロセッサ２４０、ＵＥ１２０の制御装置／プロセッサ２８０、および／または、図２の他の任意のコンポーネントは、例えば、図５のプロセス５００の、図６のプロセス６００の、および／または、ここで説明する他のプロセスの動作を実行するか、または、それらの動作を指示してもよい。メモリ２４２および２８２は、それぞれ、ＢＳ１１０およびＵＥ１２０のためのデータおよびプログラムコードを記憶していてもよい。スケジューラ２４６は、ダウンリンクおよび／またはアップリンク上でのデータ送信のために、ＵＥをスケジューリングしてもよい。
【００３７】
［００４２］
いくつかの態様では、ＵＥ１２０は、ＵＥ１２０に対する更新されたシステム情報を受信する手段と、更新されたシステム情報を処理する手段と、受信したメッセージに少なくとも部分的に基づいて、特定のＢＷＰに切り替えるまたは特定のＢＷＰを監視する手段と、および／または、これらに類するものとを含んでいてもよい。いくつかの態様では、このような手段は、図２に関連して説明したＵＥ１２０の１つ以上のコンポーネントを含んでいてもよい。
【００３８】
［００４３］
いくつかの態様では、ＢＳ１１０は、ＵＥ１２０に対する更新されたシステム情報を決定する手段と、ＵＥ１２０へのユニキャストシグナリング、ＵＥ１２０へのマルチキャストシグナリング、構成されたＢＷＰ、または、構成されたＢＷＰとは異なる特定のＢＷＰのうちの少なくとも１つを使用して、更新されたシステム情報をＵＥ１２０に送信する手段と、特定のＢＷＰに切り替えるまたは特定のＢＷＰを監視するように、ＵＥを構成するためのメッセージを送信する手段と、および／または、これらに類するものとを含んでいてもよい。このような手段は、図２に関連して説明したＢＳ１１０の１つ以上のコンポーネントを含んでいてもよい。
【００３９】
［００４４］
上述のように、図２は、単なる例として提供されている。他の例も可能であり、他の例は、図２に関して説明したものと異なっていてもよい。
【００４０】
［００４５］
図３は、本開示のさまざまな態様にしたがう、初期アクセス帯域幅部分と構成された帯域幅部分との例３００を示す図である。図３は、ＵＥ（例えば、ＵＥ１２０）が第１のＢＷＰを使用して初期アクセスを実行し、初期アクセスが実行された後に、通信のために第２のＢＷＰを使用するように構成されている例を示す。ここで使用するように、帯域幅部分は、ＵＥが通信することになる構成された周波数範囲を指す。例えば、ＵＥは、ＵＥの帯域幅部分の外側のダウンリンク信号を受信することを要求されないかもしれない。
【００４１】
［００４６］
図３において、参照番号３０５により示されているように、ＵＥは初期アクセスＢＷＰを使用して、初期アクセスを実行してもよく、初期アクセスＢＷＰは、図３において初期アクセスダウンリンク（ＤＬ）ＢＷＰとして示されている。参照番号３１０により示されているように、ＵＥは、初期アクセスＢＷＰ中で、残りの最小システム情報（ＲＭＳＩ）を受信してもよい。例えば、ＵＥは、初期アクセスＢＷＰの物理ブロードキャストチャネル（ＰＢＣＨ）のような、初期アクセスＢＷＰの特定の制御リソースセット（コアセット）（例えば、コアセット０）中で、ＲＭＳＩを受信してもよい。いくつかの態様では、初期アクセスＢＷＰの幅は、特定のコアセットの帯域幅に少なくとも部分的に基づいてもよい。例えば、初期アクセスＢＷＰの幅は、特定のコアセット（例えば、ＲＭＳＩコアセット）の帯域幅に等しくてもよい。
【００４２】
［００４７］
参照番号３１５により示されているように、ＵＥは、構成されたＤＬ  ＢＷＰとして図３に示されている、構成されたＢＷＰに関係していてもよい。例えば、スケジューリングエンティティ（例えば、ＢＳ１１０またはＵＥ１２０）は、構成されたＢＷＰを使用して通信するように、および／または、構成されたＢＷＰを監視するように、ＵＥを構成してもよい。いくつかの態様では、構成されたＢＷＰは、無線リソース制御（ＲＲＣ）シグナリング、媒体アクセス制御（ＭＡＣ）制御要素（ＣＥ）のようなＭＡＣシグナリング、ダウンリンク制御情報（ＤＣＩ）、マスタ情報ブロック（ＭＩＢ）、ＲＭＳＩ、および／または、これらに類するものに少なくとも部分的に基づいて構成されていてもよい。
【００４３】
［００４８］
示されているように、いくつかの態様では、構成されたＢＷＰは、初期アクセスＢＷＰとは異なる帯域幅および／または異なる周波数に関係していてもよい。このようにして、通信のため以外の初期アクセスのために、異なる周波数および／または帯域幅を使用してもよく、これは、スペクトル効率を改善し、時間および／または周波数ダイバーシティを提供し、ＵＥのスループットを増加させる。
【００４４】
［００４９］
参照番号３２０により示されているように、いくつかの態様では、構成されたＢＷＰは、１つ以上の共通コアセットに関係していてもよく、１つ以上の共通コアセットは、構成されたＢＷＰに関係するすべてのＵＥによりサーチされる共通サーチ空間中に含まれているかもしれない。例えば、サーチ空間は、サーチ空間の特定の候補サンプル中でマスクされる、ＵＥのための制御情報を含んでいてもよく、ＵＥは、ＵＥに対応する特定の候補サンプルを識別するまで、サーチ空間の候補サンプルをサーチするかもしれない。ＵＥは、特定の候補サンプルをデコードして、制御情報を決定してもよい。参照番号３２５により示されているように、いくつかの態様では、構成されたＢＷＰは、ＵＥ特有のコアセットまたはサーチ空間（例えば、コアセット２）に関係していてもよく、ＵＥ特有のコアセットまたはサーチ空間は、特定のＵＥによりサーチされるコアセットまたはサーチ空間を含んでいてもよい。
【００４５】
［００５０］
示されているように、構成されたＢＷＰは、周波数ドメインにおいて初期アクセスＢＷＰからオフセットされており、構成されたＢＷＰが、初期アクセスＢＷＰとは異なる周波数に関係していることを示している。さらに示されているように、構成されたＢＷＰは、時間ドメインにおいて初期アクセスＢＷＰからオフセットされており、構成されたＢＷＰが構成される前に、初期アクセスＢＷＰを使用して、初期アクセスが実行されることを示している。例えば、ＵＥは、初期アクセスＢＷＰから構成されたＢＷＰに同調してもよい。
【００４６】
［００５１］
上述のように、図３は、単なる例として提供されている。他の例も可能であり、他の例は、図３に関して説明したものと異なっていてもよい。
【００４７】
［００５２］
ＵＥは、１つ以上の帯域幅部分を使用して、ＢＳと通信してもよい。初期アクセスの間、ＵＥは、上記で図３に関連して説明したように、初期アクセスＢＷＰを使用して通信してもよい。例えば、ＵＥは、初期アクセスＢＷＰを使用して、ＲＭＳＩのような、システム情報を受信してもよい。初期アクセス後、ＵＥは、上記で図３に関連してより詳細に説明したように、構成されたＢＷＰを使用して通信してもよい。
【００４８】
［００５３］
いくつかのケースでは、システム情報が更新されてもよい。例えば、ＢＳは、ＢＳのコンフィギュレーションに対する変更に少なくとも部分的に基づいて、または、システム更新に少なくとも部分的に基づいて、更新されたシステム情報を決定してもよい。追加的にまたは代替的に、ＵＥの識別子（例えば、無線ネットワーク一時識別子）および／またはこれらに類するものが変化するかもしれない。このようなケースでは、ＢＳは、更新されたシステム情報をＵＥに提供する必要があるかもしれない。しかしながら、ＵＥは、既に、初期アクセスＢＷＰから構成されたＢＷＰに同調しているかもしれず、これは、初期アクセスＢＷＰを介して、更新されたシステム情報を提供することを困難にするかもしれない。
【００４９】
［００５４］
ここで説明する技法および装置は、初期アクセスＢＷＰと構成されたＢＷＰとに関係するＵＥに、更新されたシステム情報を提供する。例えば、ＢＳは、構成されたＢＷＰを介して、ユニキャストまたはマルチキャストメッセージを使用して、または、構成されたＢＷＰ以外の特定のＢＷＰ（例えば、初期アクセスＢＷＰ、または、初期アクセスＢＷＰおよび構成されたＢＷＰとは異なる別のＢＷＰ）を介して、更新されたシステム情報を提供してもよい。このようにして、更新されたシステム情報は、初期アクセスＢＷＰと構成されたＢＷＰとに関係するＵＥに提供され、これは、ＵＥのための別の初期アクセス手順を実行することと比較して、ネットワークの性能を改善し、更新されたシステム情報を提供する効率を増加させる。
【００５０】
［００５５］
図４は、本開示のさまざまな態様にしたがう、複数の帯域幅部分を有するシステムにおいて、更新されたシステム情報を提供する例示的な４００を示す図である。示されているように、例４００は、ＢＳ１１０およびＵＥ１２０を含んでいる。例えば、ＢＳ１１０は、上記で図３に関連して説明した初期アクセスＢＷＰのような、ＵＥ１２０のための初期アクセスＢＷＰを提供してもよい。
【００５１】
［００５６］
図４において、参照番号４０５により示されているように、ＢＳ１１０は、初期アクセスＢＷＰを使用して、ＵＥ１２０のための初期アクセスを実行してもよい。例えば、ＢＳ１１０は、初期アクセスＢＷＰ中でシステム情報（例えば、ＲＭＳＩおよび／またはこれらに類するもの）をブロードキャストしてもよい。初期アクセスを実行しているＵＥ（例えば、ＵＥ１２０）は、初期アクセスＢＷＰをスキャンして、システム情報を決定してもよく、システム情報に少なくとも部分的に基づいて、ＢＳ１１０と通信して、初期アクセスを実行してもよい。
【００５２】
［００５７］
参照番号４１０により示されているように、ＢＳ１１０は、ＵＥ１２０に対する構成されたＢＷＰを構成してもよい。例えば、構成されたＢＷＰは、初期アクセスＢＷＰとは異なる中心周波数および／または帯域幅を有していてもよい。このようなケースでは、ＵＥ１２０は、初期アクセスＢＷＰから構成されたＢＷＰに同調してもよい。ＢＳ１１０は、構成されたＢＷＰを使用して、制御情報および／またはダウンリンク通信をＵＥ１２０に送信してもよい。初期アクセスＢＷＰとは別に、構成されたＢＷＰを提供することにより、干渉が低減され、スペクトル効率が改善され、時間および／または周波数ダイバーシティが達成される。
【００５３】
［００５８］
参照番号４１５により示されているように、ＢＳ１１０は、ＵＥ１２０に対する（ＳＩとして示されている）更新されたシステム情報を決定してもよい。例えば、ＢＳ１１０は、ＵＥ１２０に、および／または、ＵＥ１２０を含むＵＥのグループに関連する更新されたシステム情報を決定してもよい。いくつかの態様では、ＢＳ１１０は、システム更新および／またはこれらに類するもののような、ＢＳ１１０に対する更新されたシステム情報を決定してもよい。
【００５４】
［００５９］
参照番号４２０により示されているように、ＢＳ１１０は、更新されたシステム情報をＵＥ１２０に送信してもよい。例えば、ＢＳ１１０は、ユニキャストシグナリング、マルチキャストシグナリング、構成されたＢＷＰ、および／または、構成されたＢＷＰとは異なる特定のＢＷＰを使用して、更新されたシステム情報を送信してもよい。これらの技法のそれぞれを次に以下で説明する。
【００５５】
［００６０］
いくつかの態様では、ＢＳ１１０は、ユニキャストシグナリングを使用して、更新されたシステム情報をＵＥ１２０に送信してもよい。例えば、ＵＥ特有の方法で（例えば、無線ネットワーク一時識別子（ＲＮＴＩ）、ネットワークアドレス、および／または、これらに類するもののような、ＵＥ１２０の識別子に少なくとも部分的に基づいて）、更新されたシステム情報が、ＵＥ１２０にシグナリングされてもよい。このようなケースでは、ユニキャストシグナリングまたはユニキャスト信号は、ＤＣＩ、ＭＡＣ  ＣＥ、ＲＲＣシグナリング、および／または、これらに類するものを含んでいてもよい。例えば、ＢＳ１１０は、更新されたシステム情報を識別するユニキャストＲＲＣシグナリングをＵＥ１２０に提供してもよく、これは、さもなければ、更新されたシステム情報をマルチキャストまたはブロードキャストするのに使用されるネットワークリソースを節約するかもしれない。
【００５６】
［００６１］
いくつかの態様では、ＢＳ１１０は、マルチキャストシグナリングを使用して、更新されたシステム情報をＵＥ１２０に送信してもよい。例えば、ＢＳ１１０は、ＵＥ１２０を含むＵＥのグループにマルチキャスト信号を送信してもよい。このようなケースでは、マルチキャスト信号は、ＤＣＩ、ＭＡＣ  ＣＥ、ＲＲＣシグナリング、および／または、これらに類するものを含んでいてもよい。いくつかの態様では、ＢＳ１１０は、ＵＥ１２０のグループのマルチキャストシグナリングのために使用されるグループＲＮＴＩに少なくとも部分的に基づいて、グループＤＣＩを使用して、マルチキャスト信号をＵＥ１２０のグループに送信してもよい。これは、さもなければ、ＵＥ１２０のグループの各ＵＥ１２０に更新されたシステム情報をユニキャストするために使用されるかもしれない、ＢＳ１１０のリソースを節約するかもしれない。
【００５７】
［００６２］
いくつかの態様では、ＢＳ１１０は、構成されたＢＷＰを使用して、更新されたシステム情報を送信してもよい。例えば、ＢＳ１１０は、構成されたＢＷＰ中で、更新されたシステム情報を繰り返してもよい。このようなケースでは、ＢＳ１１０は、初期アクセスＢＷＰ中と同じ周期により（例えば、２０ｍ秒ごと、８０ｍ秒ごと、１６０ｍ秒ごと、または、別の周期により）、構成されたＢＷＰ中で、更新されたシステム情報を繰り返してもよい。いくつかの態様では、ＢＳ１１０は、初期アクセスＢＷＰ中のものとは異なる周期により、構成されたＢＷＰ中で、更新されたシステム情報を繰り返してもよい。追加的または代替的に、ＢＳ１１０は、構成された時間ウィンドウのような、特定の時間ウィンドウの間に、更新されたシステム情報を繰り返してもよい。例えば、ＢＳ１１０は、時間ウィンドウ（例えば、５００ｍ秒、１０００ｍ秒、または、別の長さの時間）内で、更新されたシステム情報を繰り返してもよい。
【００５８】
［００６３］
いくつかの態様では、ＢＳ１１０は、構成されたＢＷＰとは異なる特定のＢＷＰを使用して、更新されたシステム情報を送信してもよい。例えば、ＢＳ１１０は、ＵＥ１２０を特定のＢＷＰに切り替えさせて、更新されたシステム情報を受信させるためのメッセージを送信してもよい。追加的にまたは代替的に、ＢＳ１１０は、更新されたシステム情報のために、特定のＢＷＰをＵＥ１２０に監視させるためのメッセージを送信してもよい。このようなケースでは、ＢＳ１１０は、特定の長さの時間に対して、特定のＢＷＰをＵＥ１２０に監視させて、その後、構成されたＢＷＰに切り替えさせるまたは構成されたＢＷＰを監視させるためのメッセージを送信してもよい。例えば、ＵＥ１２０は、特定のＢＷＰに切り替えるか、または、特定のＢＷＰを監視してもよく、その後、構成されたＢＷＰに切り替えて戻ってもよい。メッセージは、ＤＣＩ、ＲＲＣメッセージ、ＭＡＣ  ＣＥ、および／または、これらに類するものを含んでいてもよい。
【００５９】
［００６４］
いくつかの態様では、特定のＢＷＰは初期アクセスＢＷＰであってもよく、これは、更新されたシステム情報の送信の複雑さを低減し、および／または、複数の異なる帯域幅部分中での、更新されたシステム情報の再送信の必要性をなくせるかもしれない。いくつかの態様では、特定のＢＷＰは、初期アクセスＢＷＰおよび構成されたＢＷＰとは異なっていてもよい。例えば、特定のＢＷＰの周波数中心は、初期アクセスＢＷＰよりも構成されたＢＷＰに近くてもよく、これは、ＵＥ１２０が特定のＢＷＰに同調し、構成されたＢＷＰに戻るのに必要な時間量を低減させるかもしれない。
【００６０】
［００６５］
いくつかの態様では、特定のＢＷＰに切り替えるまたは特定のＢＷＰを監視するように、ＵＥ１２０を構成するためのメッセージは、ページングメッセージを含んでいてもよい。例えば、ページングメッセージは、更新されたシステム情報が利用可能であることを示していてもよい。このようなケースでは、ページングメッセージは、特定のＢＷＰをさらに識別し、および／または、ＵＥ１２０が特定のＢＷＰに切り替える（例えば、同調する、監視する）べきであることを示してもよい。ＵＥ１２０は、特定のＢＷＰに切り替えて（例えば、同調する、監視する）、更新されたシステム情報を決定してもよい。このようにして、特定のＢＷＰを使用して、更新されたシステム情報がＵＥ１２０に提供され、これは、構成されたＢＷＰのリソースを節約する。
【００６１】
［００６６］
参照番号４２５により示されているように、ＵＥ１２０は、更新されたシステム情報を受信してもよい。例えば、ＵＥ１２０は、ユニキャストまたはマルチキャスト信号として、更新されたシステム情報を受信してもよい。いくつかの態様では、（例えば、更新されたシステム情報が、構成されたＢＷＰ中で繰り返されるとき）ＵＥ１２０は、構成されたＢＷＰ中で、更新されたシステム情報を受信してもよい。いくつかの態様では、（例えば、特定のＢＷＰ中で、更新されたシステム情報を受信するように、ＵＥ１２０を構成するためのメッセージをＢＳ１１０が送信するとき）ＵＥ１２０は、特定のＢＷＰ中で、更新されたシステム情報を受信してもよい。
【００６２】
［００６７］
参照番号４３０により示されているように、ＵＥ１２０は、更新されたシステム情報を処理してもよい。例えば、ＵＥ１２０は、更新されたシステム情報を実現するように再構成してもよい。いくつかの態様では、ＵＥ１２０は、更新されたシステム情報に少なくとも部分的に基づいて、ＢＳ１１０と通信してもよい。このように、ＵＥ１２０が初期アクセスＢＷＰから構成されたＢＷＰに同調した後に、更新されたシステム情報がＵＥ１２０に提供される。したがって、初期アクセスＢＷＰと構成されたＢＷＰとに関係するＵＥの性能が改善され、このようなＵＥへの更新されたシステム情報の提供が可能になる。
【００６３】
［００６８］
上述のように、図４は、単なる例として提供されている。他の例も可能であり、他の例は、図４に関して説明したものと異なっていてもよい。
【００６４】
［００６９］
図５は、本開示のさまざまな態様にしたがう、例えば、基地局により実行される例示的なプロセス５００を示す図である。例示的なプロセス５００は、基地局（例えば、ＢＳ１１０）が、複数の帯域幅部分に関係するＵＥに対する更新されたシステム情報を提供する例である。
【００６５】
［００７０］
図５に示されているように、いくつかの態様では、プロセス５００は、ＵＥに対する更新されたシステム情報を決定することを含んでいてもよく、ＵＥは、初期アクセスＢＷＰと構成されたＢＷＰとに関係する（ブロック５１０）。例えば、（例えば、制御装置／プロセッサ２４０および／またはこれらに類するものを使用する）基地局が、ＵＥに対する更新されたシステム情報を決定してもよい。ＵＥは、初期アクセスＢＷＰに関係していてもよく、初期アクセスＢＷＰは、ＵＥのための初期アクセスを実行するために使用してもよい。ＵＥはまた、構成されたＢＷＰに関係していてもよく、初期アクセスが実行された後に、ＵＥは、構成されたＢＷＰに同調または切り替えてもよい。
【００６６】
［００７１］
図５に示すように、いくつかの態様では、プロセス５００は、ユニキャストシグナリング、マルチキャストシグナリング、構成されたＢＷＰ、または、構成されたＢＷＰとは異なる特定のＢＷＰのうちの少なくとも１つを使用して、更新されたシステム情報をＵＥに送信することを含んでいてもよい（ブロック５２０）。例えば、（例えば、制御装置／プロセッサ２４０、送信プロセッサ２２０、ＴＸ  ＭＩＭＯプロセッサ２３０、ＭＯＤ２３２、アンテナ２３４、および／または、これらに類するものを使用する）基地局が、更新されたシステム情報をＵＥに送信してもよい。いくつかの態様では、基地局は、ユニキャストシグナリングを使用して、更新されたシステム情報を送信してもよい。いくつかの態様では、基地局は、マルチキャストシグナリングを使用して、更新されたシステム情報を送信してもよい。いくつかの態様では、基地局は、構成されたＢＷＰを使用して、更新されたシステム情報を送信してもよい。いくつかの態様では、基地局は、構成されたＢＷＰとは異なっていてもよい特定のＢＷＰを使用して、更新されたシステム情報を送信してもよい。
【００６７】
［００７２］
プロセス５００は、追加の態様、例えば、以下で説明される、および／または、本明細書の他の場所で説明される１つ以上の他のプロセスに関連する態様の任意の単一の態様または任意の組み合わせを含んでいてもよい。
【００６８】
［００７３］
いくつかの態様では、ユニキャストシグナリングは、ダウンリンク制御情報、媒体アクセス制御（ＭＡＣ）制御要素（ＣＥ）、または、無線リソース制御（ＲＲＣ）シグナリングのうちの少なくとも１つを使用する。いくつかの態様では、マルチキャストシグナリングは、ダウンリンク制御情報、媒体アクセス制御（ＭＡＣ）制御要素（ＣＥ）、または、無線リソース制御（ＲＲＣ）シグナリングのうちの少なくとも１つを使用する。いくつかの態様では、マルチキャストシグナリングは、特定のグループ無線ネットワーク一時識別子（ＲＮＴＩ）に関係するグループダウンリンク制御情報を使用する。
【００６９】
［００７４］
いくつかの態様では、基地局は、特定のＢＷＰに切り替えるまたは特定のＢＷＰを監視するように、ＵＥを構成するためのメッセージを送信してもよく、特定のＢＷＰは、更新されたシステム情報を伝える。いくつかの態様では、特定の長さの時間に対して、特定のＢＷＰに切り替えるまたは特定のＢＷＰを監視するように、ＵＥを構成するためにメッセージが使用され、特定の長さの時間の後に、構成されたＢＷＰに切り替えて戻るように、ＵＥを構成するためにメッセージが使用される。いくつかの態様では、メッセージはページングメッセージである。
【００７０】
［００７５］
いくつかの態様では、特定のＢＷＰは初期アクセスＢＷＰである。いくつかの態様では、初期アクセスＢＷＰ中で送信されるシステム情報と同じ周期を使用して、構成されたＢＷＰ中で、更新されたシステム情報が繰り返される。いくつかの態様では、特定の時間ウィンドウにおいて、構成されたＢＷＰ中で、更新されたシステム情報が繰り返される。
【００７１】
［００７６］
図５は、プロセス５００の例示的なブロックを示しているが、いくつかの態様では、プロセス５００は、図５に示すブロック以外の、追加のブロック、より少ないブロック、異なるブロック、または、異なる配置のブロックを含んでいてもよい。追加的にまたは代替的に、プロセス５００のブロックのうちの２つ以上のものを、並列に実行してもよい。
【００７２】
［００７７］
図６は、本開示のさまざまな態様にしたがう、例えば、ＵＥにより実行される例示的なプロセス６００を示す図である。例示的なプロセス６００は、ＵＥ（例えば、ＵＥ１２０）が、複数の帯域幅部分に関係するＵＥに対する更新されたシステム情報を受信する例である。
【００７３】
［００７８］
図６に示すように、いくつかの態様では、プロセス６００は、更新されたシステム情報を受信することを含んでいてもよく、更新されたシステム情報は、ユニキャストシグナリング、マルチキャストシグナリング、構成されたＢＷＰ、または、構成されたＢＷＰとは異なる特定のＢＷＰのうちの少なくとも１つを使用して受信される（ブロック６１０）。例えば、（例えば、アンテナ２５２、ＤＥＭＯＤ２５４、ＭＩＭＯ検出器２５６、受信プロセッサ２５８、制御装置／プロセッサ２８０、および／または、これらに類するものを使用する）ＵＥが、更新されたシステム情報を受信してもよい。ＵＥは、初期アクセスＢＷＰと構成されたＢＷＰとに関係していてもよい。いくつかの態様では、ＵＥは、（例えば、特定のコアセットまたはサーチ空間において）更新されたシステム情報を監視してもよい。いくつかの態様では、ＵＥは、ユニキャストシグナリングとして、更新されたシステム情報を受信してもよい。いくつかの態様では、ＵＥは、マルチキャストシグナリングとして、更新されたシステム情報を受信してもよい。いくつかの態様では、ＵＥは、構成されたＢＷＰを使用して、更新されたシステム情報を受信してもよい。いくつかの態様では、ＵＥは、構成されたＢＷＰとは異なっていてもよい特定のＢＷＰを使用して、更新されたシステム情報を受信してもよい。
【００７４】
［００７９］
図６に示されているように、いくつかの態様では、プロセス６００は、更新されたシステム情報を処理することを含んでいてもよい（ブロック６２０）。例えば、（例えば、制御装置／プロセッサ２８０、および／または、これらに類するものを使用する）ＵＥが、更新されたシステム情報を処理してもよい。いくつかの態様では、ＵＥは、更新されたシステム情報をデコードしてもよい。例えば、ＵＥは、ＵＥのＲＮＴＩを使用して、更新されたシステム情報をデスクランブルして、デコードしてもよい。いくつかの態様では、ＵＥは、更新されたシステム情報に少なくとも部分的に基づいて、通信を実行してもよい。いくつかの態様では、ＵＥは、更新されたシステム情報に少なくとも部分的に基づいて、セル再選択を実行してもよい。
【００７５】
［００８０］
プロセス６００は、追加の態様、例えば、以下で説明される、および／または、本明細書の他の場所で説明される１つ以上の他のプロセスに関連する態様の任意の単一の態様または任意の組み合わせを含んでいてもよい。
【００７６】
［００８１］
いくつかの態様では、ユニキャストシグナリングは、ダウンリンク制御情報、媒体アクセス制御（ＭＡＣ）制御要素（ＣＥ）、または、無線リソース制御（ＲＲＣ）シグナリングのうちの少なくとも１つを含んでいる。いくつかの態様では、マルチキャストシグナリングは、ダウンリンク制御情報、媒体アクセス制御（ＭＡＣ）制御要素（ＣＥ）、または、無線リソース制御（ＲＲＣ）シグナリングのうちの少なくとも１つを使用する。いくつかの態様では、マルチキャストシグナリングは、特定のグループ無線ネットワーク一時識別子（ＲＮＴＩ）に関係するグループダウンリンク制御情報を使用する。いくつかの態様では、ＵＥは、受信したメッセージに少なくとも部分的に基づいて、特定のＢＷＰに切り替えるか、または、特定のＢＷＰを監視してもよく、特定のＢＷＰは、更新されたシステム情報を伝える。いくつかの態様では、ＵＥは、特定の長さの時間に対して、特定のＢＷＰに切り替えるまたは特定のＢＷＰを監視するように構成され、特定の長さの時間の後に、構成されたＢＷＰに切り替えて戻るように、ＵＥは構成される。いくつかの態様では、受信したメッセージは、ページングメッセージである。いくつかの態様では、特定のＢＷＰは、初期アクセスＢＷＰである。いくつかの態様では、初期アクセスＢＷＰ中で送信されるシステム情報と同じ周期を使用して、構成されたＢＷＰ中で、更新されたシステム情報が繰り返される。いくつかの態様では、特定の時間ウィンドウにおいて、構成されたＢＷＰ中で、更新されたシステム情報が繰り返される。
【００７７】
［００８２］
図６は、プロセス６００の例示的なブロックを示しているが、いくつかの態様では、プロセス６００は、図６に示すブロック以外の、追加のブロック、より少ないブロック、異なるブロック、または、異なる配置のブロックを含んでいてもよい。追加的にまたは代替的に、プロセス６００のブロックのうちの２つ以上のものを、並列に実行してもよい。
【００７８】
［００８３］
前述の開示は、例示および説明を提供しているが、網羅的であること、または、本態様を開示された厳密な形態に限定することを意図したものではない。上記開示の観点から修正または変形も可能であり、態様の実施から修正または変形を獲得してもよい。
【００７９】
［００８４］
ここで使用されるように、コンポーネントという用語は、ハードウェア、ファームウェア、または、ハードウェアとソフトウェアの組み合わせとして広く解釈されることが意図されている。ここで使用されるように、プロセッサは、ハードウェア、ファームウェア、または、ハードウェアとソフトウェアの組み合わせで実現される。
【００８０】
［００８５］
いくつかの態様を、しきい値に関連してここで説明する。ここで使用されるように、しきい値を満たすことは、値が、しきい値より大きい、しきい値以上、しきい値未満、しきい値以下、しきい値に等しい、しきい値に等しくない、および／または、これらに類するものを指しているかもしれない。
【００８１】
［００８６］
ここで説明するシステムおよび／または方法は、異なる形態のハードウェア、ファームウェア、または、ハードウェアおよびソフトウェアの組み合わせで実現してもよいことは明らかであろう。これらのシステムおよび／または方法を実現するために使用される実際の特殊化されている制御ハードウェアまたはソフトウェアコードは、これらの態様を限定するものではない。したがって、システムおよび／または方法の動作および挙動は、特定のソフトウェアコードを参照することなくここで説明するが、ソフトウェアおよびハードウェアは、ここでの説明に少なくとも部分的に基づいて、システムおよび／または方法を実現するように設計されていてもよいことが理解される。
【００８２】
［００８７］
特徴の特定の組み合わせが特許請求の範囲に記載され、および／または、明細書に開示されているとしても、これらの組み合わせは、可能な態様の開示を限定することを意図していない。実際、これらの特徴の多くは、特許請求の範囲において具体的に記載されておらず、および／または、本明細書において開示されていない方法で組み合わされてもよい。以下に列挙される各従属請求項は、１つの請求項のみに直接従属しているかもしれないが、可能な態様の開示は、請求項セット中の他のすべての請求項と組み合わせた、各従属請求項を含んでいる。項目のリスト「のうちの少なくとも１つ」を指す句は、単一のメンバーを含む、これらの項目の任意の組み合わせを指す。例として、「ａ、ｂ、または、ｃのうちの少なくとも１つ」は、ａ、ｂ、ｃ、ａ−ｂ、ａ−ｃ、ｂ−ｃ、および、ａ−ｂ−ｃ、ならびに、同じ要素の倍数を有する任意の組み合わせ（例えば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、および、ｃ−ｃ−ｃ、または、他の任意の順序のａ、ｂ、および、ｃ）をカバーすることが意図されている。
【００８３】
［００８８］
ここで使用される要素、行為、または、命令は、そのように明示的に記載されていない限り、重要または必須であると解釈されるべきでない。また、ここで使用される場合、冠詞「ａ」および「ａｎ」は、１つ以上の項目を含むことを意図しており、「１つ以上」と互換的に使用されているかもしれない。さらに、ここで使用される場合、「セット」および「グループ」という用語は、１つ以上の項目（例えば、関連項目、無関係項目、関連項目および無関係項目の組み合わせ、および／または、これらに類するもの）を含むことが意図され、「１つ以上」と互換的に使用されているかもしれない。ただ１つの項目が意図されている場合、「１つの」の用語またはこれに類する言語が使用されている。また、ここで使用される場合、「有する（ｈａｓ）」、「有する（ｈａｖｅ）」、「有する（ｈａｖｉｎｇ）」、および／または、これらに類するもの用語は、オープンエンドの用語であることが意図されている。さらに、「に基づく」という句は、別段の明示がない限り、「少なくとも部分的に基づいて」を意味することを意図している。
【図１】
2021505051.tif 000003
【図２】
2021505051.tif 000004
【図３】
2021505051.tif 000005
【図４】
2021505051.tif 000006
【図５】
2021505051.tif 000007
【図６】
2021505051.tif 000008
【国際調査報告】
2021505051.tif 000009
2021505051.tif 000010